(57)【要約】【課題】パネルの厚さがわからないときであっても、調整用パッキンの使用枚数を容易に決定して、パネルに対して操作スイッチなどのパネル取付用入出力機器の突出量が適正突出量となるように取り付けることができるパネル取付用入出力機器を提供すること。【解決手段】入出力部１０が取り付けられ、パネル５の穴５ｂに挿入され側面にネジ係合部２ａが形成された挿入部２１と挿入部２１の基部周縁に設けられた平面部２２とを有したフレーム２と、フレーム２をパネル５の前面５ａ側から締結するナット４と、挿入部２１に挿入されてパネル５の後面と平面部２２との間に配置される所定厚さの１以上の調整用パッキン３と、を備え、挿入部２１は、パネル５の前面５ａの位置からの突出量ＤＰが適正突出量ＤＰＩとなる適正位置Ｌ１の指標を示した指標部２ｂを有する。【選択図】図３
2018113143.tif 000002
【特許請求の範囲】
【請求項１】
パネル外部からのスイッチ操作機能、パネル外部への表示機能、パネル外部への警報機能の１以上の機能を含む入出力部が取り付けられ、パネルに設けられた穴に挿入され側面にネジ係合部が形成された挿入部と該挿入部の基部周縁に設けられた平面部とを有したフレームと、
前記フレームの前記パネルへの締結時に、前記挿入部の上部であって前記パネルの前面から突出する突出部のネジ係合部に係合して前記穴に挿入された前記フレームを前記パネルの前面から締結するナットと、
前記挿入部に挿入されて前記パネルの後面と前記平面部との間に配置される所定厚さの１以上の調整用パッキンと、
を備え、
前記挿入部は、前記パネルの前面位置からの突出量が適正突出量となる適正位置の指標を示した指標部を有することを特徴とするパネル取付用入出力機器。
【請求項２】
前記指標部は、前記平面部からの距離が所定距離となる適正位置の指標を示すことを特徴とする請求項１に記載のパネル取付用入出力機器
【請求項３】
前記所定距離は、前記パネルの厚さと前記調整用パッキンの合計厚さとを加算した厚さであることを特徴とする請求項２に記載のパネル取付用入出力機器。
【請求項４】
前記指標部は、前記適正位置を中心とし、前記挿入部の挿入方向に対して許容範囲をもった指標であることを特徴とする請求項１〜３のいずれか一つに記載のパネル取付用入出力機器。
【請求項５】
前記許容範囲の幅は、前記調整用パッキンの所定厚さ未満であることを特徴とする請求項４に記載のパネル取付用入出力機器。
【請求項６】
前記指標部は、前記許容範囲外の領域も含めて示すことを特徴とする請求項４または５に記載のパネル取付用入出力機器。
【請求項７】
前記指標部は、前記許容範囲の領域を第１の色で示し、前記許容範囲外の領域を第２の色で示したことを特徴とする請求項６に記載のパネル取付用入出力機器。
【発明の詳細な説明】
【技術分野】
【０００１】
本発明は、パネルの厚さがわからないときであっても、調整用パッキンの使用枚数を容易に決定して、パネルに対して操作スイッチなどのパネル取付用入出力機器の突出量が適正突出量となるように取り付けることができるパネル取付用入出力機器に関する。
【背景技術】
【０００２】
従来から、配電盤などの前面には、操作スイッチなどのパネル取付用入出力機器が設けられる。この操作スイッチは、パネル前面から突出するように設けられる。例えば、特許文献１では、操作部と本体部とが結合されてなり、操作部がパネルの前面に、本体部がパネルの後面にそれぞれ配置される電気機器であって、操作部が、予めパネルに設けられた孔に挿入する挿入部と、この挿入部に設けられたねじに嵌合してこの操作部を前記パネルに締結するナットとを備え、本体部が前記挿入部に結合されるものであって、前記操作部とパネルとの間にその両面に粘着剤が付加されたパッキンなどの仮固定部材を設けたものが記載されている。
【先行技術文献】
【特許文献】
【０００３】
【特許文献１】特開平６−２４３７５０号公報
【発明の概要】
【発明が解決しようとする課題】
【０００４】
ところで、上述した操作スイッチなどのパネル取付用入出力機器にはパネルの前面からナットで締結するものがある。この場合、操作部などが取り付けられた挿入部は、パネルの厚さによって突出量が異なるため、この突出量をほぼ同じにするため、操作スイッチを支持するフレームをパネルに締結する際、突出量調整のための所定厚さを有した調整用パッキンを１以上介在させるようにしている。
【０００５】
ところで、パネルの厚さに対応した調整用パッキンの使用枚数は、カタログなどに記載されており、作業者は、パネルの厚さに対する調整用パッキンの使用枚数を示す表などを参照して使用する調整用パッキンの枚数を決定していた。
【０００６】
したがって、パネルの厚さがわからず、現場にパネルの厚さを測る計測器がない場合、介在させるべき適切な調整用パッキンの枚数がわからず、操作スイッチなどをパネルに対して適切な位置で固定することが困難になる。
【０００７】
本発明は、上記に鑑みてなされたものであって、パネルの厚さがわからないときであっても、調整用パッキンの使用枚数を容易に決定して、パネルに対して操作スイッチなどのパネル取付用入出力機器の突出量が適正突出量となるように取り付けることができるパネル取付用入出力機器を提供することを目的とする。
【課題を解決するための手段】
【０００８】
上述した課題を解決し、目的を達成するために、本発明にかかるパネル取付用入出力機器は、パネル外部からのスイッチ操作機能、パネル外部への表示機能、パネル外部への警報機能の１以上の機能を含む入出力部が取り付けられ、パネルに設けられた穴に挿入され側面にネジ係合部が形成された挿入部と該挿入部の基部周縁に設けられた平面部とを有したフレームと、前記フレームの前記パネルへの締結時に、前記挿入部の上部であって前記パネルの前面から突出する突出部のネジ係合部に係合して前記穴に挿入された前記フレームを前記パネルの前面から締結するナットと、前記挿入部に挿入されて前記パネルの後面と前記平面部との間に配置される所定厚さの１以上の調整用パッキンと、を備え、前記挿入部は、前記パネルの前面位置からの突出量が適正突出量となる適正位置の指標を示した指標部を有することを特徴とする。
【０００９】
また、本発明にかかるパネル取付用入出力機器は、上記の発明において、前記指標部は、前記平面部からの距離が所定距離となる適正位置の指標を示すことを特徴とする。
【００１０】
また、本発明にかかるパネル取付用入出力機器は、上記の発明において、前記所定距離は、前記パネルの厚さと前記調整用パッキンの合計厚さとを加算した厚さであることを特徴とする。
【００１１】
また、本発明にかかるパネル取付用入出力機器は、上記の発明において、前記指標部は、前記適正位置を中心とし、前記挿入部の挿入方向に対して許容範囲をもった指標であることを特徴とする。
【００１２】
また、本発明にかかるパネル取付用入出力機器は、上記の発明において、前記許容範囲の幅は、前記調整用パッキンの所定厚さ未満であることを特徴とする。
【００１３】
また、本発明にかかるパネル取付用入出力機器は、上記の発明において、前記指標部は、前記許容範囲外の領域も含めて示すことを特徴とする。
【００１４】
また、本発明にかかるパネル取付用入出力機器は、上記の発明において、前記指標部は、前記許容範囲の領域を第１の色で示し、前記許容範囲外の領域を第２の色で示したことを特徴とする。
【発明の効果】
【００１５】
本発明によれば、挿入部に、パネルの前面位置からの突出量が適正突出量となる適正位置の指標を示した指標部が目視可能に設けられているので、パネルの厚さがわからないときであっても、調整用パッキンの使用枚数を容易に決定して、パネルに対して操作スイッチなどのパネル取付用入出力機器の突出量が適正突出量となるように取り付けることができる。
【図面の簡単な説明】
【００１６】
【図１】図１は、本発明の実施の形態であるパネル取付用入出力機器の全体構成を示す分解斜視図である。
【図２】図２は、パネル取付用入出力機器がパネルに取り付けられた状態の断面構造を示す図である。
【図３】図３は、図２に示したナットを取り除いたパネル取付用入出力機器の構成を示す正面図である。
【図４】図４は、図２に示したパネルに対して調整用パッキンの使用枚数が不適正な場合にフレームがパネルに挿入された状態の断面構造を示す図である。
【図５】図５は、図４に示した状態の構成を示す正面図である。
【図６】図６は、パネル取付用入出力機器が図２に比して薄いパネルに取り付けられた状態の断面構造を示す図である。
【図７】図７は、図６に示したナットを取り除いたパネル取付用入出力機器の構成を示す正面図である。
【図８】図８は、図６に示したパネルに対して調整用パッキンの使用枚数が不適正な場合にフレームがパネルに挿入された状態の断面構造を示す図である。
【図９】図９は、図８に示した状態の構成を示す正面図である。
【発明を実施するための形態】
【００１７】
以下、添付図面を参照してこの発明を実施するための形態について説明する。
【００１８】
図１は、本発明の実施の形態であるパネル取付用入出力機器１の全体構成を示す分解斜視図である。なお、パネル取付用入出力機器１には、パネル外部からのスイッチ操作機能、パネル外部への表示機能、パネル外部への警報機能の１以上の機能を含む入出力機能を有するものである。この実施の形態では、スイッチ操作機能を有するパネル取付用入出力機器１を例に挙げて説明する。
【００１９】
図１に示すように、パネル取付用入出力機器１は、スイッチ操作機能を有する入出力部１０がフレーム２に取り付けられている。フレーム２の上部には、パネル５の穴５ｂに挿入され、側面にネジ係合部２ａが形成された挿入部２１を有する。フレーム２は、挿入部２１の基部周縁に平面が形成された平面部２２を有する。
【００２０】
入出力部１０が取り付けられたフレーム２を穴５ｂに挿入する際、パネル５の前面５ａから前面側に突出する挿入部２１の突出量を調整する１以上の調整用パッキン３が挿入部２１に挿入される。調整用パッキン３の厚さは、所定厚さｄ２である（図３参照）。パネル５の厚さが小さいときは、パネル５の厚さが大きいときに比べて、調整用パッキン３の数を多く使用し、パネル５の前面５ａから前面側に突出する挿入部２１の突出量が調整される。
【００２１】
ナット４は、挿入部２１が穴５ｂに挿入され、パネル５の前面５ａから挿入部２１の上部が突出した状態で、突出した部分のネジ係合部２ａに、パネル５の前面５ａ側から螺合して締め付け、フレーム２をパネル５に固定する。
【００２２】
挿入部２１には、パネル５の前面５ａからの突出量が適正突出量となる適正位置の指標を示した指標部２ｂ，２ｃが形成される。指標部２ｂ，２ｃは、ネジ係合部２ａのネジ切加工された部分であって、ナット４との螺合に干渉しないように、挿入方向に沿って形成された溝２３内に形成される。指標部２ｂは、適正位置を示す指標であり、緑色塗料が塗布されている。指標部２ｃは、指標部２ｂの挿入方向の上下に設けられ、適正位置以外の領域であることを示す指標であり、不適正を示す赤色塗料が塗布されている。なお、指標部２ｂ，２ｃは、パネル取付用入出力機器１のパネル５への取付時に、目視可能である。
【００２３】
ここで、図２及び図３を参照して、指標部２ｂの形成位置について説明する。図２は、パネル取付用入出力機器１がパネル５に取り付けられた状態の断面構造を示す図である。また、図３は、図２に示したナット４を取り除いたパネル取付用入出力機器１の構成を示す正面図である。図３に示すように、挿入部２１のうち、パネル５の前面５ａから突出する突出部２１ａの適正な突出量ＤＰは、適正突出量ＤＰＩである。突出量ＤＰが適正突出量ＤＰＩである場合、ナット４のネジ係合部２ａへの係合と入出力部１０の突出量ＤＰとが適正となる。したがって、突出量ＤＰが適正突出量ＤＰＩとなる適正位置Ｌ１に指標部２ｂを形成する。指標部２ｂの挿入方向の厚さは、許容範囲ΔＤである。許容範囲ΔＤの厚さは、調整用パッキン３の厚さｄ２未満としている。
【００２４】
調整用パッキン３の使用枚数を決定する場合、パネル５の厚さｄ１と調整用パッキン３の厚さｄ２の使用枚数分の厚さとの加算値は、平面部２２から適正位置Ｌ１までの距離Ｄとなることが好ましい。しかし、この加算値は、調整用パッキン３の使用枚数によって段階的に変化するため、指標部２ｂの厚さは、適正位置Ｌ１を中心に、上述したように許容範囲ΔＤを設けている。図３では、調整用パッキン３を１枚使用した場合に、前面５ａの位置が適正位置Ｌ１の許容範囲内に収まる。
【００２５】
作業者は、前面５ａが指標部２ｂの許容範囲内に収まったか否かを目視で確認し、このときの調整用パッキン３の枚数を適正な調整用パッキン３の枚数として決定することができる。そして、作業者は、この状態でナット４をネジ係合部２ａに螺合させてフレーム２をパネル５に締め付け、パネル取付用入出力機器１を形成する。図２及び図３の例では、適正な調整用パッキン３の枚数は、１枚である。この場合、平面部２２から適正位置Ｌ１までの距離Ｄから、パネル５の厚さｄ１と調整用パッキン３の１枚の厚さｄ２との加算値を減算した差分値が許容範囲ΔＤ内となる。
【００２６】
調整用パッキン３の使用枚数が適正である場合、突出部２１ａにおける前面５ａからの突出量ＤＰは、適正突出量ＤＰＩを中心とした許容範囲ΔＤ内となる。一方、調整用パッキン３の使用枚数が適正でない場合、すなわち、調整用パッキン３の使用枚数が適正使用枚数から１枚でもずれた枚数である場合、前面５ａが、指標部２ｂではなく、指標部２ｃを指し示すことになる。この場合、作業者は、調整用パッキン３の使用枚数が不適正であることを視認することができる。
【００２７】
例えば、図４及び図５に示すように、調整用パッキン３の使用枚数が不適正な２枚である場合、前面５ａの位置には、指標部２ｃが配置され、指標部２ｂが穴５ｂ内に隠れてしまう。この場合、平面部２２から適正位置Ｌ１までの距離Ｄから、パネル５の厚さｄ１と調整用パッキン３の２枚の厚さｄ２２（＝ｄ２×２）との加算値を減算した差分値が許容範囲ΔＤ外となる。
【００２８】
この場合、作業者は、指標部２ｃを視認して調整用パッキン３の使用枚数が不適正であることを認識し、かつ、指標部２ｂが視認できないことから、調整用パッキン３の使用枚数が適正使用枚数に比して多いことを認識することができる。なお、調整用パッキン３の使用枚数が適正使用枚数に比して少ない場合、指標部２ｂを視認できるが、指標部２ｂは、前面５ａに交わらず、前面５ａの上部に配置される。
【００２９】
つぎに、図６〜図９を参照して、図２〜図５に示したパネル５の厚さｄ１に比して薄いパネル１５に対してパネル取付用入出力機器１を取り付ける場合について説明する。図６〜図９において、挿入部２１に設けられた指標部２ｂ，２ｃの位置は、図２〜図５と同じである。図６及び図７では、平面部２２から適正位置Ｌ１までの距離Ｄから、パネル１５の厚さｄ１１と調整用パッキン３の５枚の厚さｄ２５（＝ｄ２×５）との加算値を減算した差分値が許容範囲ΔＤ内となっている。この場合、指標部２ｂは、前面１５ａに交わっている。すなわち、パネル１５にパネル取付用入出力機器１を取り付ける場合、調整用パッキン３の適正使用枚数は、５枚となる。
【００３０】
一方、図８及び図９では、平面部２２から適正位置Ｌ１までの距離Ｄから、パネル１５の厚さｄ１１と調整用パッキン３の３枚の厚さｄ２３（＝ｄ２×３）との加算値を減算した差分値が許容範囲ΔＤ外となっている。この場合、指標部２ｂは、前面１５ａに交わらず、前面１５ａの上部に位置し、指標部２ｃが前面１５ａに交わっている。すなわち、パネル１５にパネル取付用入出力機器１を取り付ける場合、調整用パッキン３を３枚使用することは不適正であることがわかる。また、指標部２ｂが前面１５ａの上部に位置しているため、調整用パッキン３の使用枚数が不足していることがわかる。さらに、前面１５ａから指標部２ｂまでの距離をもとに、不足している調整用パッキン３の枚数を推定することができる。
【００３１】
なお、上述した指標部２ｂは、適正であることを示す色を緑色で表示され、指標部２ｃは、不適正であることを示す色を赤色で表示されていたが、これに限らず、色の選定は任意である。また、模様を組み合わせても良い。さらに、指標部２ｂ，２ｃは、色表示のみでなく、立体形状としてもよい。例えば、指標部２ｂを指標部２ｃに対して凸形状としてもよい。また、立体形状と色表示等とを組み合わせても良い。
【符号の説明】
【００３２】
１  パネル取付用入出力機器
２  フレーム
２ａ  ネジ係合部
２ｂ，２ｃ  指標部
３  調整用パッキン
４  ナット
５，１５  パネル
５ｂ，１５ｂ  穴
５ａ，１５ａ  前面
１０  入出力部
２１  挿入部
２１ａ  突出部
２２  平面部
２３  溝
Ｄ  距離
ＤＰ  突出量
ＤＰＩ  適正突出量
Ｌ１  適正位置
ΔＤ  許容範囲
【図１】
2018113143.tif 000003
【図２】
2018113143.tif 000004
【図３】
2018113143.tif 000005
【図４】
2018113143.tif 000006
【図５】
2018113143.tif 000007
【図６】
2018113143.tif 000008
【図７】
2018113143.tif 000009
【図８】
2018113143.tif 000010
【図９】
2018113143.tif 000011